(57)【要約】【課題】ペーパの切断端がロール体の周面に付着せずに、ペーパを簡単に引き出しできて使い勝手のよいロールペーパ用ホルダ装置を提供すること。【解決手段】ロール体の回転支持機構を具備したホルダ本体２０と上蓋３０とを備えたロールペーパ用ホルダ装置１０であって、ホルダ本体２０の前面上部に形成されたガイド面２４と、上蓋３０に設けられたクッション体４０との間からペーパ５１が引き出され、上蓋３０の先端に設けられた前垂部３２の先端にエッジ３３が形成され、前垂部のエッジ３３がクッション体４０の弾力で上蓋３０が押し戻される通常位置と、ペーパ５１が切断される切断位置との間で上下動可能である。【選択図】図３
2020182636.tif 000002
【特許請求の範囲】
【請求項１】
内部に縦向きの連続空間を形成した箱体からなり、連続空間の上半にロール体の回転支持機構を具備したホルダ本体と、ホルダ本体の上口を閉鎖可能に枢支され、先端にエッジが形成された上蓋とを備えたロールペーパ用ホルダ装置であって、
前記ホルダ本体の前面上部に、ロール体から引き出したペーパをホルダ本体の外方へ案内するガイド面が形成され、
前記上蓋はガイド面と対応する位置に設けられたクッション体と、ホルダ本体の前面側に延出した前垂部とを有し、
前記前垂部の先端に、クッション体とガイド面との間から引き出されたペーパを切断可能なエッジが形成され、
前記前垂部のエッジがクッション体の弾力で上蓋が押し戻される通常位置と、上蓋が押し下げられた状態でペーパを切断する切断位置との間で上下動することを特徴とする、
ロールペーパ用ホルダ装置。
【請求項２】
前記前垂部がホルダ本体の前面の外方で上下動するように、上蓋の基端がホルダ本体の最上部に上下動自在に枢支されていることを特徴とする、請求項１に記載のロールペーパ用ホルダ装置。
【請求項３】
前記前垂部のエッジが降下したとき、ガイド面とクッション体の間から引き出されたペーパに下向きの余頂部が形成されることを特徴とする、請求項１または２に記載のロールペーパ用ホルダ装置。
【請求項４】
前記前垂部の先端縁がＶ字形に形成されていることを特徴とする、請求項１乃至３のいずれか一項に記載のロールペーパ用ホルダ装置。
【請求項５】
前記クッション体が弾性部材で形成されていることを特徴とする、請求項１に記載のロールペーパ用ホルダ装置。
【請求項６】
前記ロール体の回転支持機構がホルダ本体内の上半に空転可能に枢支された一対の並行ローラからなることを特徴とする、請求項１に記載のロールペーパ用ホルダ装置。
【請求項７】
前記一対の並行ローラの対向間隔がロール体の最大径より小さく、ロール体の紙管の外径より小さい寸法関係にあることを特徴とする、請求項６に記載のロールペーパ用ホルダ装置。
【請求項８】
前記ホルダ本体内の下半に補助室が形成されていることを特徴とする、請求項１に記載のロールペーパ用ホルダ装置。
【発明の詳細な説明】
【技術分野】
【０００１】
本発明はトイレットペーパの切断端がロール体に付着せずに、ペーパを簡単に引き出しできて使い勝手のよいロールペーパ用ホルダ装置に関する。
【背景技術】
【０００２】
トイレットペーパ等を保持するロール用ホルダ装置の大半は、中空のロール体を両側部から回転可能に支持するホルダ本体と、ホルダ本体の上部奥側に上下動自在に枢支され、ロール体の上側を覆う上蓋とを備えた構成になっている。
上蓋はその先端縁に連続したエッジを有し、ロール体から引き出したペーパの途中をエッジに沿って切断し得るようになっている。
【０００３】
ペーパの途中をエッジに沿って切断すると、ロール体側の切断端が上蓋の裏側に完全に隠れてしまうため、次回の使用時にペーパが引き出し難い。
特に切断時に上蓋をロール体へ押し付けてペーパを切断することから、ペーパの切断端がロール体の周面に付着し易く、ペーパの切断端が非常に分かり難い。
このような場合、上蓋を持ち上げた状態でロール体を手で回転しながらペーパの切断端を探し出さなければならず、使い勝手が悪いことが指摘されている。
【０００４】
この問題を解決するホルダ装置が種々提案されている。
特許文献１には、上蓋の中央に縦向きの長穴を開設したホルダ装置が開示されていて、長穴に指を挿し入れてロール体を引出方向へ回転することで、上蓋の裏に隠れていたペーパの切断端を送り出している。
特許文献２には、上蓋の裏面にスライド式の移動板を設けたホルダ装置が開示されていて、可動板蓋の先端から手動で延出させた移動板の先端のカッタに沿って切断した後に、移動板を手動で後退移動させることで、移動板の裏に隠れていたペーパの切断端が露出するようになっている。
特許文献３には、複数の歯車機構とゼンマイバネを組み合わせたホルダ装置が開示されていて、ロール体の中心を両側から支持する支持体と共にロール体が強制回転する構成になっている。
【先行技術文献】
【特許文献】
【０００５】
【特許文献１】特開２０１１−１２０８４９号公報
【特許文献２】実用新案登録第３２０７２３９号公報
【特許文献３】実用新案登録第３２１９７１０号公報
【発明の概要】
【発明が解決しようとする課題】
【０００６】
従来のホルダ装置にはつぎのような改善すべき課題を内包している。
＜１＞特許文献１に記載のホルダ装置は、上蓋に形成された長穴に指を挿し入れなければならず、ロール体の回転操作が面倒であるだけでなく、ぺーパの切断端がロール体に付着し易く、ペーパの切断端を探し出すのに手数がかかって使い勝手が非常に悪い。
さらにロール体に指や手で直接触れることは、不衛生であり使用者に不快感を与え易い。
＜２＞特許文献２に記載のホルダ装置は、移動板のスライド操作が面倒であるだけでなく、移動板に押されてぺーパの切断端がロール体に付着し易い。
＜３＞複数の歯車機構とゼンマイバネを組み合わせた特許文献３に記載のホルダ装置は、ロール体の回転機構が複雑でコストが高い。
＜４＞従来のホルダ装置は、ペーパを使い切ったときに紙管がホルダ本体に残る構造である。
そのため、新たなロール体と交換する際に使用者がホルダ本体から紙管を掴んで取り外さなければならず、紙管の取り外しが面倒である。
【０００７】
本発明は以上の点に鑑みてなされたもので、その目的とするところは、ペーパの切断端がロール体の周面に付着せずに、ペーパを簡単に引き出しできて使い勝手のよいロールペーパ用ホルダ装置を提供することにある。
さらに本発明の他の目的は、使い終わった紙管の取り外し操作が不要な使い勝手のよいロールペーパ用ホルダ装置を提供することにある。
【課題を解決するための手段】
【０００８】
本発明は、内部に縦向きの連続空間を形成した箱体からなり、連続空間の上半にロール体の回転支持機構を具備したホルダ本体と、ホルダ本体の上口を閉鎖可能に枢支され、先端にエッジが形成された上蓋とを備えたロールペーパ用ホルダ装置であって、前記ホルダ本体の前面上部に、ロール体から引き出したペーパをホルダ本体の外方へ案内するガイド面が形成され、前記上蓋はガイド面と対応する位置に設けられたクッション体と、ホルダ本体の前面側に延出した前垂部とを有し、前記前垂部の先端に、クッション体とガイド面との間から引き出されたペーパを切断可能なエッジが形成され、前記前垂部のエッジがクッション体の弾力で上蓋が押し戻される通常位置と、上蓋が押し下げられた状態でペーパを切断する切断位置との間で上下動するように構成されている。
本発明の他の形態において、前記前垂部がホルダ本体の前面の外方で上下動するように、上蓋の基端がホルダ本体の最上部に上下動自在に枢支されている。
本発明の他の形態において、前記前垂部のエッジが降下したとき、ガイド面とクッション体の間から引き出されたペーパに下向きの余頂部が形成される。
本発明の他の形態において、前記前垂部の先端縁がＶ字形に形成されている。
本発明の他の形態において、前記クッション体が弾性部材で形成されている。
本発明の他の形態において、前記ロール体の回転支持機構がホルダ本体内の上半に空転可能に枢支された一対の並行ローラからなる。
本発明の他の形態において、前記一対の並行ローラの対向間隔がロール体の最大径より小さく、ロール体の紙管の外径より小さい寸法関係にある。
本発明の他の形態において、前記ホルダ本体内の下半に補助室が形成されている。
【発明の効果】
【０００９】
本発明は少なくともつぎのひとつの効果を奏する。
＜１＞上蓋の先端縁に形成したエッジを上下動自在に構成したことで、引き出したペーパの余頂部をホルダ本体の前面に露出させることができる。
＜２＞ペーパの切断端がロール体の周面に付着しないので、使用する都度、ペーパの切断端を探し出す手間が不要となり、ホルダ本体の前面に露出したペーパの余頂部を簡単に引き出して切断できる。
したがって、従来のホルダ装置と比べて使い勝手が格段によくなる。
＜３＞ロール体に触れずにペーパに余頂部を形成できるので衛生的である。
＜４＞先端に前垂部を形成すると共に、その一部にクッション体を設けた上蓋と、ガイド面を形成したホルダ本体とを組み合わせただけの簡単な構造であり、製作コストを低廉に抑えることができる。
＜５＞ロール体の回転支持機構として一対の並行ローラを採用すると、上口を通じて一対の並行ローラの上に載せるだけでロール体をセットできるので、ロール体のセット装置が簡単である。
＜６＞一対の並行ローラの対向間隔がロール体の紙管の外径より小さい寸法関係にしてあることで、ペーパを使い切ると紙管が自重で落下する。
したがって、使い終わった紙管を使用者が取り外す操作が不要であると共に、使用者が紙管に触れずに済むので衛生的である。
＜７＞ホルダ本体内に形成した補助室は、使い終わった紙管の回収空間として活用できるだけでなく、予備用のロール体の収容空間としても活用できる。
【図面の簡単な説明】
【００１０】
【図１】本発明の一実施の形態に係るロールペーパ用ホルダ装置の斜視図
【図２】図１のロールペーパ用ホルダ装置の縦断側面図
【図３】ペーパ切断時の説明図で、ロールペーパ用ホルダ装置の上半部の縦断面図
【図４】ペーパ切断直後の説明図で、ロールペーパ用ホルダ装置の上半部の縦断面図
【図５】紙芯の自重落下の説明図で、ロールペーパ用ホルダ装置の下半部の縦断面図
【発明を実施するための形態】
【００１１】
以下、図面を参照しながら本発明について詳しく説明する。
【００１２】
＜１＞ロールペーパ用ホルダ装置
図１，２を参照して説明すると、ロールペーパ用ホルダ装置１０（以下「ホルダ装置１０」）は、トイレットぺーパ等のロール体５０の回転支持機構を具備したホルダ本体２０と、ホルダ本体２０の上部奥側に上下動自在に枢支され、先端にエッジ３３を形成した上蓋３０とを備えている。
【００１３】
本発明は、切断したペーパ５１の切断端５２がホルダ本体２０の前面２０ａに垂れ下げて露出するように改良すると共に、ロール体５０の紙管５３が自重で落下するようにロール体５０の回転支持機構を改良したものである。
【００１４】
＜２＞ホルダ本体
ホルダ本体２０は前面２０ａ、背面２０ｂおよび左右の側面２０ｃを有し、内部に縦向きの連続空間を形成した箱体であり、背面２０ｂが建物の側壁に向けて取り付けてある。
ホルダ本体２０の上部にはロール体５０を収容可能な上口２１が形成されている。上口２１は上蓋３０により開閉可能である。
【００１５】
＜２．１＞ロール体の回転支持機構
本発明では、ロール体５０の回転支持機構としてロール体５０を載置可能な一対の並行ローラ２２，２２を採用する。
ホルダ本体２０内には、横向きに一対の並行ローラ２２，２２が配置されていて、側壁２０ｃが一対の並行ローラ２２，２２の両端を空転可能に枢支している。
【００１６】
＜２．２＞一対の並行ローラの対向間隔
図２を参照して説明すると、並行ローラ２２，２２の対向間隔Ｌはロール体５０の最大径より小さく、紙管５３の外径ｄより小さい寸法関係に設定してある。
このような寸法関係にしたのは、一対の並行ローラ２２，２２でロール体５０を回転可能に支持すると共に、使い終わった紙管５３を一対の並行ローラ２２，２２の間から自重で落下させるためである。
【００１７】
＜２．３＞補助室
ホルダ本体２０の下半には補助室２３が形成してあり、補助室２３は一部の側壁２０ｃに開設した開口を通じて開放されている。
後述するように使い終わった紙管５３の回収空間として活用するだけでなく、予備用のロール体５０の収容空間としても活用できる補助室２３は、必須ではなく省略される場合もある。
【００１８】
＜２．４＞ガイド面
ホルダ本体２０の前面２０ａの上部には、ホルダ本体２０の内部空間へ向けて横向きに延出したガイド面２４を有している。
ガイド面２４はロール体５０から引き出したペーパ５１をホルダ本体０の外部へ案内するための平面である。
本例でガイド面２４を水平に形成した形態を示しているが、ガイド面２４に緩やかな勾配を付与してもよい。
【００１９】
＜３＞上蓋
上蓋３０はホルダ本体２０の上口２１を封鎖可能な寸法の板体であり、その基端が支軸３１を介してホルダ本体２０の上部に上下動自在に枢支されている。
上蓋３０はガイド面２４と対応する位置に突出して形成したクッション体４０と、クッション体４０から先に延出して下向きに屈曲させて形成した前垂部３２とを有している。
【００２０】
＜３．１＞クッション体
上蓋３０の裏面に付設したクッション体４０は、上蓋３０の横断方向に沿って連続して突出していて、ホルダ本体２０のガイド面２４と接面可能な位置に設けてある。
クッション体４０の素材としては、例えばスポンジ、軟質樹脂等の弾性変形が可能な弾性材で構成されている。
クッション体４０は、上蓋３０の自重のみでは弾性変形せず、上蓋３０の自重を超えた下向きの外力を加えることではじめて弾性変形し、外力を解除することで変形前の形状に復元する。
【００２１】
＜３．２＞前垂部
上蓋３０の先端部近くを下向きに屈曲させた前垂部３２は、ホルダ本体２０の前面２０ａの外方に張り出していて、その先端縁に沿って連続したエッジ３３を形成している。
【００２２】
上蓋３０に前垂部３２を形成したのは、通常位置と切断位置における上蓋３０のエッジ３３に高低差を設け、ペーパ５１を余分に引き出した部位に余頂部５４を形成するためである。
換言すれば、本発明は上蓋３０の通常位置でペーパ５１を切断するのではなく、上蓋３０の通常位置より押し下げられた位置でペーパ５１を切断するようにしたものである。
したがって、クッション体４０の変形前の高さを適宜選択することで、上蓋３０によるペーパ５１の切断位置を変更できる。
【００２３】
さらに前垂部３２を下向きに形成することで、ホルダ本体２０からの張り出し量を小さくして、利用者が不用意にエッジ３３に当たってケガをするのを防止することもできる。
【００２４】
また本例では、ペーパ５１の切断端５２をＶ字形に形成し得るように、前垂部３２の先端縁のエッジ３３をＶ字形に形成した形態について説明するが、横一直線状に形成してもよい。
【００２５】
＜４＞上蓋とクッション体の重量
ガイド面２４とクッション体４０との間に位置するペーパ５１には、上蓋３０とクッション体４０の自重が常時作用することになる。
上蓋３０とクッション体４０の重量は、ペーパ５１の円滑な引き出しを阻害しないように軽量に設定してある。
【００２６】
［ホルダ装置の使用方法］
図２〜５を参照してホルダ装置１０の使用方法について説明する。
【００２７】
＜１＞通常状態
図２に示した通常状態において、ホルダ本体２０内のロール体５０は、一対の並行ローラ２２上に回転自在に支持されている。ロール体５０に巻き取られたペーパ５１はホルダ本体２０のガイド面２４と上蓋３０のクッション体４０との間を通じてホルダ本体２０の外部へ引き出されている。
通常状態において、上蓋３０は最上位に位置し、そのエッジ３３はホルダ本体２０の前面２０ａから離隔している。
【００２８】
＜２＞ペーパの引き出し操作
ペーパ５１の使用時は、その切断端５２を指で摘まみながら任意の長さ分を引き出す。
ペーパ５１の引き出し中、上蓋３０を押さえ込まないのでペーパ５１の引き出し抵抗が小さく、そのためペーパ５１を円滑に引き出しできる。
【００２９】
＜３＞ペーパの切断操作
図３，４を参照してペーパ５１の切断操作について説明する。
【００３０】
＜３．１＞上蓋の押し込み
所望の長さ分のペーパ５１を引き出したら、クッション体４０の弾力に抗しながら上蓋３０を軽く押し込む。
上蓋３０の押し込みに伴い、クッション体４０が圧縮変形して、ガイド面２４とクッション体４０との間に位置するペーパ５１をスリップ不能に挟持すると共に、上蓋３０の先端のエッジ３３が降下する。
エッジ３３がホルダ本体２０の前面２０ａに当接するまで上蓋３０は回動可能である。
【００３１】
なお、図１に示すように、エッジ３３が当接予定のホルダ本体２０の前面２０ａに軟質素材の保護シート２５を付設し、この保護シート２５によって前面２０ａを保護するように構成してもよい。
【００３２】
＜３．２＞ペーパの切断
上蓋３０を押さえたまま、ホルダ本体２０の外部へ引き出したペーパ５１を軽く引き上げると、エッジ３３に沿ってペーパ５１が切断される。
本発明では、ガイド面２４とクッション体４０との挟持位置から離れた位置でペーパ５１を切断するものであるから、ペーパ５１の切断端５２がロール体５０に周面に付着することがない。
【００３３】
＜３．３＞余頂部の形成
ロール体５０側のペーパ５１はガイド面２４とクッション体４０との挟持位置から前面２０ａに垂れ下がり、ペーパ５１の下向きの部位が余頂部５４として残る。
この時点において、余頂部５４は押し下げられた上蓋３０の裏に隠れている。
このように本発明では、上蓋３０のエッジ３３を上下動可能にしたことで、ロール体５０に触れずに余頂部５４を含む長さにペーパ５１を余分に引き出しすることができる。
【００３４】
＜４＞上蓋の復帰
上蓋３０から手を離すと、クッション体４０の弾性復元力により上蓋３０が支軸３１を中心に回動して通常位置に復帰する。
上蓋３０の復帰に伴って前垂部３２が上昇すると、前垂部３２の裏に隠れていたペーパ５１の余頂部５４がホルダ本体２０の前面２０ａに露出する。
【００３５】
＜５＞次回使用時
次回の使用時は、ホルダ本体２０の前面２０ａに垂れ下がったペーパ５１の余頂部５４を指で摘まんで簡単に引き出しできるので、ペーパ５１の切断端５２を改めて探し出す必要がなくなり、従来と比べて使い勝手がよくなる。
【００３６】
＜６＞紙管の回収
図５を参照して紙管５３の回収について説明する。
並行ローラ２２，２２の対向間隔Ｌが、紙管５３の外径ｄより広くなっているので、すべてのペーパ５１を使い切ると、紙管５３が一対の並行ローラ２２，２２の間から自重で落下する。落下した紙管５３は補助室２３で回収される。
【００３７】
このように、ロール体５０を使い終わると紙管５３が自重で落下するので、使用者が紙管５３に触れずに済むので衛生的であり、従来と比べて使い勝手がさらによくなる。
【符号の説明】
【００３８】
１０・・・ロールペーパ用ホルダ装置
２０・・・ホルダ本体
２０ａ・・ホルダ本体の前面
２０ｂ・・ホルダ本体の背面
２０ｃ・・ホルダ本体の側面
２１・・・ホルダ本体の上口
２２・・・並行ローラ
２３・・・ホルダ本体の補助室
２４・・・ホルダ本体のガイド面
２５・・・保護シート
３０・・・上蓋
３１・・・上蓋の支軸
３２・・・上蓋の前垂部
３３・・・上蓋のエッジ
４０・・・クッション体
５０・・・ロール体
５１・・・ペーパ
５２・・・ペーパの切断端
５３・・・ロール体の紙管
５４・・・ペーパの余長部
【図１】
2020182636.tif 000003
【図２】
2020182636.tif 000004
【図３】
2020182636.tif 000005
【図４】
2020182636.tif 000006
【図５】
2020182636.tif 000007